(57)【要約】【課題】表示画面上におけるムラを低減する表示装置及び表示方法を提供する。【解決手段】発光素子と当該発光素子の近傍に設けられる第１センサとが封止材で封止された発光部が複数配置される表示部と、前記発光部の近傍において外部からの光を測定する第２センサと、前記第１センサによって前記封止材を透過した光が検出された検出結果と前記第２センサの検出結果とに基づいて、前記封止材の光の透過度合いを前記発光部のそれぞれについて算出する透過度合い算出部と、前記算出された透過度合いのうち他よりも低い透過度合いの発光部の明るさに合わせるように、他の発光部の発光素子の明るさを制御する信号処理部とを有する。【選択図】図１
2019159094.tif 000002
【特許請求の範囲】
【請求項１】
発光素子と当該発光素子の近傍に設けられる第１センサとが封止材で封止された発光部が複数配置される表示部と、
前記発光部の近傍において外部からの光を測定する第２センサと、
前記第１センサによって前記封止材を透過した光が検出された検出結果と前記第２センサの検出結果とに基づいて、前記封止材の光の透過度合いを前記発光部のそれぞれについて算出する透過度合い算出部と、
前記算出された透過度合いのうち他よりも低い透過度合いの発光部の明るさに合わせるように、他の発光部の発光素子の明るさを制御する信号処理部と
を有する表示装置。
【請求項２】
前記発光部は、発光素子が複数設けられ、当該複数の発光素子の発光色は異なり、
前記第１センサと第２のセンサはそれぞれ、前記発光色の各々を測定し、
前記透過度合い算出部は、前記封止材の光の透過度合いを前記発光色毎に算出し、
前記信号処理部は、前記発光部のうち各発光色の透過度合いが最も低い発光色の透過度合いが、他よりも低い透過度合いの発光部を特定し、特定された発光部の明るさに合わせるように、他の発光部の発光素子の明るさを制御する
請求項１記載の表示装置。
【請求項３】
前記発光部の封止材の透過度合いを、前記発光部のそれぞれについて記憶する封止材透過度合い記憶部と、
前記発光部の明るさのばらつきを補正するための明るさ補正値を発光部のそれぞれについて記憶する明るさ補正値記憶部と、を有し、
前記信号処理部は、
前記記憶された透過度合いと、前記算出された透過度合いと、前記記憶された明るさ補正値とを用いて、前記発光部のそれぞれについて明るさを合わせるように制御する
請求項１または請求項２記載の表示装置。
【請求項４】
第２センサが、発光素子と当該発光素子の近傍に設けられる第１センサとが封止材で封止された発光部が複数配置される表示部の近傍において外部からの光を測定し、
透過度合い算出部が、前記第１センサによって前記封止材を透過した光が検出された検出結果と前記第２センサの検出結果とに基づいて、前記封止材の光の透過度合いを前記発光部のそれぞれについて算出し、
信号処理部が、前記算出された透過度合いのうち他よりも低い透過度合いの発光部の明るさに合わせるように、他の発光部の発光素子の明るさを制御する
表示方法。
【発明の詳細な説明】
【技術分野】
【０００１】
本発明は、表示装置及び表示方法に関する。
【背景技術】
【０００２】
表示装置には、ＬＥＤ（発光ダイオード）を用いた表示装置であるＬＥＤ表示装置がある。ＬＥＤ表示装置は、ＬＥＤランプが実装された表示部と信号処理部から構成されている。このＬＥＤランプの１つが１画素を構成しており、ＬＥＤ基板に複数のＬＥＤランプが実装されており、これら複数のLEDランプを用いて映像信号を表示する。
図８、図９は、従来のLED表示装置に用いられる表面実装型のLEDランプの構造の一例を表す図であり、図８は、LEDランプの上面図、図９は、LEDランプの正面図である。
これら図において、平面視において矩形状であるランプハウス８０３の４つの角部は、基板８００上に設けられたパターン８０１、ピン、はんだ８０２を介して接続される。ランプハウス８０３の内周面には発光素子８０４が設けられる。この発光素子８０４としては、赤色の光を出射する発光素子８０４R、緑色の光を出射する発光素子８０５G、青色の光を出射する発光素子８０６Bが平面上に並べられる。また、ランプハウス８０３の内周面は、発光素子８０４を覆うように封止材８０８によって封止される。
このような封止材８０８は、発光素子８０４や電極などＬＥＤランプ内部を、外部からの衝撃やほこり、水分などの外的な劣化要因から保護する。この封止材８００の材料として、例えば、エポキシやシリコンの樹脂が用いられる。
【０００３】
なお、経年劣化による色ずれを補正する機能を備えたＬＥＤ光モジュールもある（例えば、特許文献１参照）。
【先行技術文献】
【特許文献】
【０００４】
【特許文献１】特開２００７−０５３３６６号公報
【発明の概要】
【発明が解決しようとする課題】
【０００５】
しかしながら、封止剤に用いられるエポキシやシリコンの樹脂は、長期にわたり使用すると、光や熱の影響を受け劣化（黄変）を起こすこのような封止材の受ける光には、太陽などからの外光と、ＬＥＤランプ内部の発光素子が発光した際に放出されるＬＥＤ光がある。エポキシやシリコンの樹脂は、短波長光に曝されると劣化しやすい。封止材の劣化は、最も距離の近いところで短波長光を放出する青色発光素子からのＬＥＤ光の影響が最も大きい。
【０００６】
このようなＬＥＤ表示装置を長期にわたり使用すると、表示する画像や動画によって、ＬＥＤ表示装置に実装されている各ＬＥＤランプの青色発光素子のＬＥＤ光の強さや時間に差が生じる。例えば、工場出荷時においては、封止剤はほぼ劣化していないため、各LEDランプにおいて、劣化度合いの差がほぼない。そのため、図１０に示すように、例えば、LED表示装置によってR（赤）、G（緑）、B（青）のそれぞれのラスタ画像を表示した場合であっても、いずれの色においても、LED表示装置の画面上のムラ（輝度ムラや色ムラ）がない。しかし上述したように長期にわたり使用し、複数のＬＥＤランプおいて、封止材の劣化具合に差が生じると、図１１に示すように、ＬＥＤ表示装置の表示画像に輝度ムラや色ムラが生じる。例えば、LED表示装置によってR（赤）のラスタ画像を表示した場合には、輝度ムラや色ムラが生じていることが確認される。同様に、G（緑）、B（青）のそれぞれのラスタ画像を表示した場合であっても、輝度ムラや色ムラが確認される。
【０００７】
本発明は、このような事情に鑑みてなされたもので、その目的は、表示画面上におけるムラを低減する表示装置及び表示方法を提供することにある。
【課題を解決するための手段】
【０００８】
上述した課題を解決するために、本発明は、発光素子と当該発光素子の近傍に設けられる第１センサとが封止材で封止された発光部が複数配置される表示部と、前記発光部の近傍において外部からの光を測定する第２センサと、前記第１センサによって前記封止材を透過した光が検出された検出結果と前記第２センサの検出結果とに基づいて、前記封止材の光の透過度合いを前記発光部のそれぞれについて算出する透過度合い算出部と、前記算出された透過度合いのうち他よりも低い透過度合いの発光部の明るさに合わせるように、他の発光部の発光素子の明るさを制御する信号処理部とを有する。
【０００９】
また、本発明の一態様は、前記発光部は、発光素子が複数設けられ、当該複数の発光素子の発光色は異なり、前記第１センサと第２のセンサはそれぞれ、前記発光色の各々を測定し、前記透過度合い算出部は、前記封止材の光の透過度合いを前記発光色毎に算出し、前記信号処理部は、前記発光部のうち各発光色の透過度合いが最も低い発光色の透過度合いが、他よりも低い透過度合いの発光部を特定し、特定された発光部の明るさに合わせるように、他の発光部の発光素子の明るさを制御する。
【００１０】
また、本発明の一態様は、前記発光部の封止材の透過度合いを、前記発光部のそれぞれについて記憶する封止材透過度合い記憶部と、前記発光部の明るさのばらつきを補正するための明るさ補正値を発光部のそれぞれについて記憶する明るさ補正値記憶部と、を有し、前記信号処理部は、前記記憶された透過度合いと、前記算出された透過度合いと、前記記憶された明るさ補正値とを用いて、前記発光部のそれぞれについて明るさを合わせるように制御する。
【００１１】
また、本発明の一態様は、第２センサが、発光素子と当該発光素子の近傍に設けられる第１センサとが封止材で封止された発光部が複数配置される表示部の近傍において外部からの光を測定し、透過度合い算出部が、前記第１センサによって前記封止材を透過した光が検出された検出結果と前記第２センサの検出結果とに基づいて、前記封止材の光の透過度合いを前記発光部のそれぞれについて算出し、信号処理部が、前記算出された透過度合いのうち他よりも低い透過度合いの発光部の明るさに合わせるように、他の発光部の発光素子の明るさを制御する表示方法である。
【発明の効果】
【００１２】
以上説明したように、この発明によれば、表示画面上におけるムラを低減することができる。
【図面の簡単な説明】
【００１３】
【図１】第１の実施形態における表示装置１の機能構成を表す機能ブロック図である。
【図２】表示装置に用いられるLEDランプを正面からみた構成図である。
【図３】表示装置に用いられるLEDランプを上面からみた構成図である。
【図４】表示部２を正面側からみた図である。
【図５】１つの表示ユニットを側面側からみた図である。
【図６】表示装置１の動作を説明するフローチャートである。
【図７】上述の表示装置１のＬＥＤランプの明るさについて説明する図である。
【図８】表面実装型のLEDランプの構造の一例を表す図である。
【図９】表面実装型のLEDランプの構造の一例を表す図である。
【図１０】表示画面に表示された状態を説明する図である。
【図１１】表示画面に表示された状態を説明する図である。
【発明を実施するための形態】
【００１４】
以下、本発明の一実施形態による表示装置について図面を参照して説明する。
図１は、第１の実施形態における表示装置１の機能構成を表す機能ブロック図、図２は、この発明の一実施形態による表示装置に用いられるLEDランプを正面からみた構成図、図３は、この発明の一実施形態による表示装置に用いられるLEDランプを上面からみた構成図である。
表示装置１は、表示部２と、メモリ部３と、信号処理部４と、電源部５とを含んで構成される。表示部２は、表示部色センサ２１と、LED（発光ダイオード）ランプ２２とを含んで構成される。表示部色センサ２１は、赤色センサ２１１と、緑色センサ２１２と、青色センサ２１３とを有する。表示部色センサ２１は、LEDランプ２２の近傍において当該LEDランプ２２から出射された光を測定する。LEDランプ２２は、複数の発光素子（赤色発光素子２２４、緑色発光素子２２５、青色発光素子２２６）と当該発光素子の近傍に設けられるセンサ（赤色センサ２２１、緑色センサ２２２、青色センサ２２３）とを含んで構成される。
【００１５】
ここで、LEDランプ２２について、図２、図３を参照して説明する。
LEDランプ２２において、ランプハウス１０３は、平面視において略矩形状をしており、その４つの角部は、基板１００上に設けられたパターン１０１、ピン、はんだ１０２を介して接続される。ランプハウス１０３の内周面のうち、底面（ランプハウス１０３が取り付けられた基板１００の面と平行な面）には、赤色発光素子２２４と赤色センサ２２１、緑色発光素子２２５と緑色センサ２２２、青色発光素子２２６と青色センサ２２３が、それぞれ並ぶように設けられる。封止材１０８は、ランプハウス１０３の内周面に充填されることで、赤色発光素子２２４、赤色センサ２２１、緑色発光素子２２５、緑色センサ２２２、青色発光素子２２６、青色センサ２２３を封止する。この１つのLEDランプ２２が、表示装置１における１つの画素に対応する。表示装置１は、映像信号に応じた画像が出力されるように、複数のLEDランプ２２を駆動することで、映像信号を表示する。
【００１６】
ここでは、LEDランプ２２は、表面実装型のLEDランプである場合について図示しているが、LEDランプ２２は、発光素子とセンサを有していれば、砲弾タイプやチップオンボードタイプのLEDランプであってもよい。
ここで、図４と図５を用いて表示部２についてさらに説明する。図４は、表示部２を正面側からみた図である。ここでは、１つの表示部色センサ２１と１つのLEDランプ２２とが組み合わされて１つの表示ユニット２０が構成されており、このような表示ユニット２０が基板１００に対して複数配置される。この図においては、４つの表示ユニットが配置された場合について図示されているが、表示ユニットは、画素数に対応するように複数配置される。
【００１７】
図５は、１つの表示ユニットを側面側からみた図である。
赤色センサ２１１、緑色センサ２１２、青色センサ２１３は、LEDランプ２２の近傍において、外部からの光である外光（符号ａ）を測定する。特に赤色センサ２１１は、外部からの光のうち赤色に対応する波長の光を測定する。緑色センサ２１２は、外部からの光のうち緑色に対応する波長の光を測定する。青色センサ２１３は、外部からの光のうち青色に対応する波長の光を測定する。赤色センサ２１１、緑色センサ２１２、青色センサ２１３は、封止材１０８を透過していない外光を直接測定することができる。
赤色センサ２２１、緑色センサ２２２、青色センサ２２３は、封止材１０８を透過した外光（符号ａ）を測定する。特に赤色センサ２２１は、外部からの光のうち赤色に対応する波長の光を測定する。緑色センサ２２２は、外部からの光のうち緑色に対応する波長の光を測定する。青色センサ２２３は、外部からの光のうち青色に対応する波長の光を測定する。
【００１８】
図１に戻り、メモリ部３は、各種情報を記憶する。また、メモリ部３は、明るさ補正値記憶部３１と、封止材透過率記憶部３２と有する。
明るさ補正値記憶部３１は、表示部２を構成する個々のLEDランプ２２の明るさのばらつきを補正するための明るさ補正値を記憶する。この補正値は、表示装置１の出荷前において工場での調整時における補正値が記憶される。また、この補正値は赤、緑、青の各色のそれぞれについて記憶するようにしてもよい。
封止材透過率記憶部３２と、表示装置１の出荷前において、工場調整時に測定した個々のLEDランプ２２の封止材の透過率を記憶する。この透過率は、１つのＬＥＤランプ２２の赤、緑、青の各色についての透過率が記憶される。またこの透過率は、各ＬＥＤランプ２２のそれぞれにおいて記憶される。
この透過率は、出荷前においてLEDランプ２２のそれぞれの封止材の透過率を信号処理部４が求め、封止材透過率記憶部３２に記憶する。また、この透過率は、透過度合いを表すものを用いることができればよい。
【００１９】
信号処理部４は、表示装置１内における各種信号の処理を行う機能と、各部を制御する機能とを有する。信号処理部４は、例えばＣＰＵ（中央処理装置）等の処理装置または専用の電子回路で構成されてよい
信号処理部４は、色センサ値Ａ／Ｄ変換部４１と、色センサ値演算部４２と、輝度値演算部４３と、映像信号演算部４４と、LED発光素子制御部４５とを含んで構成される。
【００２０】
色センサ値Ａ／Ｄ変換部４１は、LEDランプ２２の各色センサ（赤色センサ２２１、緑色センサ２２２、青色センサ２２３）によって測定されたアナログの測定値をデジタルの測定値に変換する。また、色センサ値Ａ／Ｄ変換部４１は、表示部色センサ２１の各色センサ（赤色センサ２１１、緑色センサ２１２、青色センサ２１３）によって測定されたアナログの測定値をデジタルの測定値に変換する。
【００２１】
色センサ値演算部４２は、ＬＥＤランプ２２内に設けられた赤色センサ、緑色センサ、青色センサのそれぞれの検出結果と表示部色センサ２１として備えられた赤色センサ、緑色センサ、青色センサの検出結果とに基づいて、封止材の光の透過度合い（例えば透過率）をＬＥＤランプ２２のそれぞれについて算出する。
色センサ値演算部４２は、封止材透過率記憶部３２に記憶された透過率と色センサ値Ａ／Ｄ変換部４１で変換されたデジタルの測定値（透過率）から、正規化した透過率を算出する。例えば、工場調整時の透過率を１００％としたときの、測定時（色センサ値Ａ／Ｄ変換部４１で変換されたデジタルの測定値）の透過率の割合を求めることで正規化した透過率が求められる。この正規化した透過率は、ＬＥＤランプ２２毎に求められる。
また、色センサ値演算部４２は、ＬＥＤランプ２２毎に求められた、正規化した透過率のうち、正規化した透過率の最小値を算出する。
また、色センサ値演算部４２は、ＬＥＤランプ２２毎に求められた正規化した透過率と、最小値である正規化した透過率とから、ＬＥＤランプ２２毎に、ＬＥＤランプの補正値を求める。このＬＥＤランプの補正値は、例えば、最小値である正規化した透過率を１００％としたときの、算出対象であるＬＥＤランプ２２の正規化した透過率を求めることで算出できる。色センサ値演算部４２は、算出した封止材の透過率から算出したLEDランプの補正値を輝度値演算部４３に出力する。ここで出力されるLEDランプの補正値は、赤、緑、青の各色のそれぞれについて出力されてもよい。
【００２２】
輝度値演算部４３は、明るさ補正値記憶部３１に記憶されている補正値と、色センサ値演算部４２が算出した補正値と、外部から入力される表示装置１の輝度制御信号（表示装置の輝度の設定値（符号４３ａ））から、個々のLEDランプの輝度値を算出し、算出した個々のLEDランプの輝度値を映像信号演算部４４に出力する。
ここでは、明るさ補正値記憶部３１に記憶されている明るさの補正値には、工場調整時に測定した個々のLEDランプの封止材の透過率による明るさの違いの補正が含まれている。
明るさ補正値記憶部３１に記憶されている補正値に、「工場調整時に測定した個々のLEDランプの封止材の透過率」による明るさの違いの補正が含まれているため、色センサ値演算部４２が算出した補正値に「工場調整時に測定した個々のLEDランプの封止材の透過率」を含んだ値(色センサ値演算部４２が求めた透過率)からLEDランプの補正値を求めると、「工場調整時に測定した個々のLEDランプの封止材の透過率」が重複する。そこで、輝度値演算部４３にて、明るさ補正値記憶部３１に記憶されている補正値と、色センサ値演算部４２が算出した補正値と、外部から入力される表示装置1の輝度制御信号から、個々のLEDランプの輝度値を算出する。これにより、工場調整時に測定した個々のLEDランプの封止材の透過率が重複しないようにしてＬＥＤランプの輝度値を算出することができる。
【００２３】
映像信号演算部４４は、輝度値演算部４３によって算出された個々のＬＥＤランプの輝度値と、外部（コンピュータやコンテンツを再生する再生装置等）から入力される映像信号から、個々のLEDランプの明るさレベルを算出する。
ＬＥＤ発光素子制御部４５は、映像信号演算部４４によって算出された個々のＬＥＤランプの明るさレベルをもとに、各発光素子（赤色発光素子２２４、緑色発光素子２２５、青色発光素子２２６）の発光を制御する。
【００２４】
電源部５は、表示装置１内の各部（例えば、表示部２、メモリ部３、信号処理部４）に電源を供給する。
【００２５】
次に、上述した表示装置１の動作について説明する。図６は、表示装置１の動作を説明するフローチャートである。
信号処理部４は、表示部２における各ＬＥＤランプ２２のそれぞれの発光素子の発光を停止させることで消灯状態にする（ステップＳ１０１）。この消灯状態において、ＬＥＤランプ２２の各色センサ（赤色センサ２２１、緑色センサ２２２、青色センサ２２３）は、封止材１０８を透過した外光を測定し、測定値を色センサ値Ａ／Ｄ変換部４１に出力する（ステップＳ１０２）。また、表示部色センサ２１の各センサ（赤色センサ２１１、緑色センサ２１２、青色センサ２１３）は、封止材１０８を介在せずに直接到達する外光を測定し、測定値を色センサ値Ａ／Ｄ変換部４１に出力する（ステップＳ１０３）。
【００２６】
色センサ値Ａ／Ｄ変換部４１は、赤色センサ２２１、緑色センサ２２２、青色センサ２２３、赤色センサ２１１、緑色センサ２１２、青色センサ２１３から得られるアナログの測定値をデジタルの測定値に変換して色センサ値演算部４２に出力する（ステップＳ１０４）。
【００２７】
色センサ値演算部４２は、ＬＥＤランプの測定時の透過率を算出する（ステップＳ１０５）。この透過率は、赤、緑、青のそれぞれの色毎に行われる。例えば、赤色については、赤色センサ２１１の測定値に対する赤色センサ２２１の測定値の割合を求めることで算出する。緑色については、緑色センサ２１２の測定値に対する緑色センサ２２２の測定値の割合を求めることで算出する。青色については、青色センサ２１３の測定値に対する青色センサ２２３の測定値の割合を求めることで算出する。
このようにして、色毎の透過率が算出されるが、色センサ値演算部４２は、この色毎の透過率を、複数あるＬＥＤランプ２２のそれぞれについて算出する。
【００２８】
色センサ値演算部４２は、ＬＥＤランプの測定時の透過率が算出されると、封止材透過率記憶部３２に記憶された各ＬＥＤランプ２２についてのそれぞれの透過率のうち、算出対象であるＬＥＤランプ２２の透過率を読み出し、読み出した透過率と、ステップＳ１０５において算出されたＬＥＤランプの測定時の透過率とに基づいて、工場調整時の透過率を１００％としたときの、測定時の透過率の割合を求めることで正規化した透過率を求める（ステップＳ１０６）。色センサ値演算部４２は、この正規化した透過率を、複数のＬＥＤランプ２２のそれぞれについて求める。
【００２９】
次に、色センサ値演算部４２は、ステップＳ１０６において算出された透過率のうち、他のＬＥＤランプよりも低い透過率を特定する（ステップＳ１０７）。ここでは、色センサ値演算部４２は、ステップＳ１０６において算出された透過率のうち、最も低い透過率を選択することで特定することができる。
【００３０】
次に、色センサ値演算部４２は、ステップＳ１０７において求められた透過率の最低値（正規化した透過率）と、ステップＳ１０６で求められた正規化した透過率から、表示部２に実装されているそれぞれ（全て）のＬＥＤランプ２２について、そのＬＥＤランプ２２の赤色発光素子２２４、緑色発光素子２２５、青色発光素子２２６のそれぞれの明るさを、透過率が最低値（最小値とも称する）であるＬＥＤランプ２２の封止材を通過した後の明るさに合わせるための補正値を算出する（ステップＳ１０８）。例えば、色センサ値演算部４２は、透過率が最低値であるＬＥＤランプ２２から封止材を通過した後の赤色発光素子２２４、緑色発光素子２２５、青色発光素子２２６それぞれの光の明るさと同じになるように、輝度の発光度合いを透過率が最低値であるＬＥＤランプ２２以外のＬＥＤランプ２２のそれぞれについて、明るさを低減させるような補正値を求める。
【００３１】
次に、輝度値演算部４３は、明るさ補正値記憶部３１に記憶された工場調整時において算出された個々のＬＥＤランプの明るさを補正する明るさ補正値を読み出し、読み出した明るさ補正値と、ステップＳ１０８において求められた補正値と、外部から入力される表示装置１の輝度の設定値から、個々のＬＥＤランプの輝度値を算出する（ステップＳ１０９）。
【００３２】
そして、映像信号演算部４４は、ステップＳ１０９において輝度値演算部４３によって算出された個々のＬＥＤランプの輝度値と、外部から入力される映像信号から、個々のＬＥＤランプの明るさレベルを算出する（ステップＳ１１０）。
【００３３】
ＬＥＤ発光素子制御部４５は、算出された個々のＬＥＤランプの明るさレベルに基づいて、表示部２の各ＬＥＤランプ２２をそれぞれ駆動する（ステップＳ１１１）。これにより、映像信号が表示部２に表示される。ここでは、算出された個々のＬＥＤランプの明るさレベルについて、算出された個々のＬＥＤランプに対応するＬＥＤランプ２２に対して、当該算出された明るさレベルに従って駆動する。
【００３４】
図７は、上述の表示装置１のＬＥＤランプの明るさについて説明する図である。縦軸は明るさの度合い（％）を表し、横軸は発光素子の色を表す。
工場出荷時においては、ＬＥＤランプ２２の各色（赤、緑、青）の明るさの度合いは１００％であるため（符号７０１ａ、符号７０２ａ、符号７０３ａ）、輝度ムラがない状態である。これは複数のＬＥＤランプ２２のうちいずれのＬＥＤランプについても各色の明るさの度合いは１００％であるため、表示画面全体において輝度ムラがない状態である。
次に、表示装置１において調整を行わないまま長期使用すると、ＬＥＤランプ２２において、赤、緑、青の各色について明るさは、工場出荷時よりも低くなるが、その明るさにばらつきが生じる（符号７１１ａ、符号７１２ａ、符号７１３ａ）。ここでは、例えば、赤、緑、青のうち、緑の明るさが最も高く、青の明るさが最も低い。このようなばらつきは、複数のＬＥＤランプ２２のそれぞれについて生じる。また、複数のＬＥＤランプ２２どうしで各色の明るさを比較した場合には、同じ色であっても、明るさは異なる場合がある。そのため、調整を行わない場合には、表示部２において、各ＬＥＤランプ２２のそれぞれにおける輝度のばらつきが生じる。
これに対し、上述の実施形態における表示装置１によれば、使用した期間が所定期間経過する毎に明るさの調整を行うことができるため、ＬＥＤランプ２２の各色の明るさのばらつきを低減することができ、これにより、輝度ムラを低減することができる。この例では、青色の明るさが最も低いため、青色の明るさに合わせるように赤、緑の明るさを低減させるように制御することで、赤、緑、青のそれぞれにおいて、明るさが６５％程度となるようすることで、明るさを合わせることができる。
ここでは、封止材の透過率が他のＬＥＤランプと比べて最低であるＬＥＤランプについて、上述したように赤、緑、青のそれぞれについて明るさが同じになるように合わせる。これとともに、封止材の透過率が最低ではない他のＬＥＤランプについては、封止材の透過率が最低であるＬＥＤランプのうち明るさが最も低い色の明るさに合わせるようにして、当該他のＬＥＤランプの赤、緑、青のそれぞれについて明るさを制御する。
これにより、全てのLEDランプの赤・緑・青の明るさを、最低の透過率を持つ封止材を通った後の明るさへ合わせようにして、他のＬＥＤランプの赤・緑・青の明るさを制御することができる。その結果、赤・青・緑の明るさが一定の値になるため、表示部２に表示される表示画像の輝度ムラと色ムラとを抑えることが出来る。
【００３５】
次に、他の実施形態について説明する。
この実施形態においては、図１に示す表示装置１と異なる部分について説明し、共通する部分については説明を省略する。この実施形態における表示装置は、図１の機能と概ね共通するが、メモリ部３を設ける必要がない点において相違する。
この実施形態において、表示装置は図６のフローチャートのＳ１０１からステップＳ１０５までは同様の処理が実行される。そして、色センサ値演算部４２は、ステップＳ１０５の処理において求められたＬＥＤランプの測定時の透過率のうち、他のＬＥＤランプよりも低い透過率を求める。ここでは、最低値である透過率を求める。
【００３６】
次に、色センサ値演算部４２は、個々のＬＥＤランプの明るさを、ＬＥＤランプの赤・緑・青の透過率の中で最も低い透過率である封止材を通った後の明るさへ合わせるための補正値を算出する。例えば色センサ値演算部４２は、ステップＳ１０５に対応する処理で得られた透過率と、最低値として得られた透過率との差分から、ＬＥＤランプの補正値を求める。
【００３７】
そして、補正値が求められると、輝度値演算部４３は、外部から入力される輝度の設定値から個々のＬＥＤランプの輝度値を算出し、この補正値を用いて、外部から入力される表示装置の輝度の設定値から、個々のＬＥＤランプの輝度値を算出する。映像信号演算部４４は、この個々のＬＥＤランプの輝度値と、外部から入力される映像信号から、個々のＬＥＤランプの明るさレベルを算出する。ＬＥＤ発光素子制御部４５は、算出された個々のＬＥＤランプの明るさレベルに基づいて、表示部２の各ＬＥＤランプ２２をそれぞれ駆動する。これにより、映像信号が表示部２に表示される。
この実施形態によれば、表示装置における個々のＬＥＤランプの赤、緑、青の明るさを合わせることで、色ムラを低減することができる。また、ここでは、輝度ムラの補正は行われないため、個々の輝度が異なる場合があるが、表示部２における明るさは暗くさせずに色ムラを低減することができる。すなわち、最初の実施形態に比べて、面内の明るさは明るくなる。
【００３８】
上述した実施形態における表示装置における信号処理部をコンピュータで実現するようにしてもよい。その場合、この機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよく、ＦＰＧＡ（Field Programmable Gate Array）等のプログラマブルロジックデバイスを用いて実現されるものであってもよい。
【００３９】
以上、この発明の実施形態について図面を参照して詳述してきたが、具体的な構成はこの実施形態に限られるものではなく、この発明の要旨を逸脱しない範囲の設計等も含まれる。
【符号の説明】
【００４０】
１  表示装置
２  表示部
３  メモリ部
４  信号処理部
５  電源部
２０  表示ユニット
２１  表示部色センサ
２２  ＬＥＤランプ
３１  明るさ補正値記憶部
３２  封止材透過率記憶部
４１  色センサ値Ａ／Ｄ変換部
４２  色センサ値演算部
４３  輝度値演算部
４４  映像信号演算部
４５  LED発光素子制御部
１００  基盤
１０１  パターン
１０２  はんだ
１０３  ランプハウス
１０８  封止材
２１１、２２１  赤色センサ
２１２、２２２  緑色センサ
２１３、２２３  青色センサ
２２４  赤色発光素子
２２５  緑色発光素子
２２６  青色発光素子
【図１】
2019159094.tif 000003
【図２】
2019159094.tif 000004
【図３】
2019159094.tif 000005
【図４】
2019159094.tif 000006
【図５】
2019159094.tif 000007
【図６】
2019159094.tif 000008
【図７】
2019159094.tif 000009
【図８】
2019159094.tif 000010
【図９】
2019159094.tif 000011
【図１０】
2019159094.tif 000012
【図１１】
2019159094.tif 000013